【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
情報配信装置から携帯端末に対し、ネットワークを介して所定のタイミングで前記携帯端末の利用者が要求する情報を配信する情報配信方法であって、
前記情報配信装置において、
情報配信プログラムと、前記携帯端末に配信する画像情報およびテロップ情報を含む配信情報と、前記配信情報に関連する情報とを記憶する記憶装置と、前記情報配信プログラムに従って情報配信処理を実行する処理装置とを備えて、
前記処理装置が、携帯端末から情報配信要求を受けたとき、または前記情報配信プログラムが携帯端末毎に定められた配信契機の到来を検知したとき、前記情報配信要求または携帯端末毎に定められた配信契機に対応する画像情報およびテロップ情報を含む配信情報、および該配信情報に関連する情報を前記記憶装置において検索し、該検索した情報を前記携帯端末に配信し、
前記携帯端末において、
待ち受けプログラムを格納した記憶部と、前記待ち受けプログラムに従って情報配信要求処理を実行する処理部を備え、
前記処理部が、当該携帯端末の稼動状況に応じて情報配信契機を検知したとき、前記情報配信装置に画像情報およびテロップ情報を含む配信情報の配信を要求し、
前記情報配信装置において、
前記処理装置が、当該情報配信装置の情報配信契機を検知したとき、前記情報配信プログラムに従って前記画像情報およびテロップ情報を含む配信情報を配信し、
前記携帯端末において、
前記処理部が、当該携帯端末の利用者から前記配信情報に関する関連情報の配信要求を受けたとき、前記配信情報に関連する情報の配信を前記情報配信装置に要求し、
前記処理部が、前記関連情報の配信要求または配信契機の到来の前記検知に基づき前記情報配信装置から配信される関連情報または配信情報を受信し、
前記情報配信装置において、
前記処理装置が、前記情報配信要求または配信契機の到来の前記検知に基づき、画像情報およびテロップ情報を含む配信情報と該配信情報に関連する情報を、前記携帯端末に配信し、
前記携帯端末において、
前記処理部が、前記配信情報の画像情報およびテロップ情報を含む配信情報を当該携帯端末の表示部の待ち受け画面として表示し、かつ該配信情報に関連する情報を前記表示部に表示する、
ことを特徴とする情報配信方法。
【請求項２】
情報配信装置から携帯端末に対し、ネットワークを介して所定の配信タイミング毎に、予め設定された情報配信内容に基づく情報の配信をする情報配信方法であって、
前記情報配信装置において、
画像情報およびテロップ情報を含む配信情報と、該配信情報に関連する情報と、情報配信プログラムとを記憶した記憶装置と、前記情報配信プログラムに従って情報配信処理を実行する処理装置とを備えて、
前記処理装置が、前記情報配信プログラムに従って、画像情報およびテロップ情報を含む配信情報を、前記記憶装置において検索し、ここで検索した情報を前記携帯端末に配信し、
前記処理装置が、携帯端末から配信情報に関連する関連情報の配信要求を受けたとき、または前記情報配信プログラムが携帯端末毎に定められた配信契機の到来を検知したとき、前記配信要求または携帯端末毎に定められた配信契機に対応する前記画像情報およびテロップ情報を含む配信情報の検索を前記記憶装置において実行し、ここで検索した情報を前記携帯端末に配信し、
前記携帯端末において、
待ち受けプログラムを格納した記憶部と、前記待ち受けプログラムに従って情報配信要求処理を実行する処理部とを備えて、
前記処理部が、前記画像情報およびテロップ情報を含む配信情報と該配信情報に関連する情報を前記情報配信装置より受信し、
前記処理部が、前記配信情報の画像情報およびテロップ情報を含む配信情報を当該携帯端末の表示部の待ち受け画面として表示し、または該配信情報に関連する情報を当該携帯端末の表示部に表示する、
ことを特徴とする情報配信方法。
【請求項３】
待ち受けプログラムを実行する複数の携帯端末の各々に対して、配信装置からネットワークを介して情報を配信する情報配信方法であって、
前記配信装置は、
前記携帯端末に配信するテロップ情報と、当該テロップ情報の配信契機と、情報配信プログラムと、を記憶した記憶装置と、前記記憶装置の情報配信プログラムに従って処理を実行する処理装置とを有し、
前記処理装置が、前記携帯端末へ、前記記憶装置におけるテロップ情報の配信契機に従ったタイミングで前記テロップ情報を配信し、
前記携帯端末は、
電話およびメールの機能を果たすプログラムの他に、配信装置からの配信情報を受信して該配信情報を待ち受け画面に表示する待ち受けプログラムを格納した記憶部と、前記待ち受けプログラムに従った情報処理を実行する処理部と、表示部とを有し、
前記処理部が、当該携帯端末に対する利用者からの入力に応じて、該携帯端末の表示部に表示された、前記テロップ情報を含む待ち受け画面での表示内容に関する情報の要求を示す関連情報要求を、前記配信装置へ送信し、
前記配信装置は、
前記処理装置が、前記関連情報要求に対応する関連情報を記憶装置で検索し、
前記処理装置が、前記関連情報を前記携帯端末に送信し、
前記携帯端末は、
前記処理部が、前記配信装置から送信された前記関連情報を前記表示部の待ち受け画面に表示する、
ことを特徴とする情報配信方法。
【請求項４】
電話およびメールの機能を果たすプログラムの他に配信装置からの配信情報を受信して該配信情報を待ち受け画面に表示する待ち受けプログラムを実行する複数の携帯端末の各々に対し、ネットワークを介して情報を配信する情報配信装置であって、
情報配信プログラムと、前記携帯端末に配信するテロップ情報と、当該テロップ情報の配信契機と、を記憶する記憶装置と、
前記記憶装置の情報配信プログラムに従って処理を実行する処理装置とを備えて、
前記処理装置が、前記携帯端末へ、前記記憶装置におけるテロップ情報の配信契機に従ったタイミングで前記テロップ情報を配信し、  
前記処理装置が、前記テロップ情報を配信した携帯端末から、前記テロップ情報を含む待ち受け画面での表示内容に関する情報の要求を示す関連情報要求を受信し、
前記処理装置が、前記関連情報要求に対応する関連情報を記憶装置で検索し、
前記処理装置が、前記携帯端末に前記関連情報を送信する、
ものであることを特徴とする情報配信装置。
【請求項５】
ネットワークを介して情報配信装置から複数の携帯端末のそれぞれへ情報配信を行う情報配信方法において、
前記携帯端末は、プログラムを格納した記憶装置と処理装置とを有し、
前記携帯端末は、前記プログラムに従った前記処理装置の制御により、当該携帯端末の状況を監視し、前記監視の結果、当該携帯端末に設定された情報配信契機の到来を検知し、
前記携帯端末は、前記プログラムに従った前記処理装置の制御により、予め設定された情報配信内容に基づく情報配信要求を、前記情報配信装置に送信し、
前記携帯端末は、前記情報配信要求に応じて情報配信装置より配信される配信情報を受信し、
前記携帯端末は、前記プログラムに従った前記処理装置の制御により、前記受信した情報を出力するインターフェイスに出力し、
前記携帯端末は、前記プログラムに従って前記処理装置が、情報配信契機の到来を検知した場合、前記記憶装置に格納され、前記プログラムに含まれ、当該携帯端末の待ち受け画面を制御する待ち受けプログラムを起動し、
前記携帯端末は、前記待ち受けプログラムに従って前記処理装置が、前記情報配信要求を送信し、
前記携帯端末は、前記待ち受けプログラムに従って前記処理装置が、前記配信情報を前記出力インターフェイスである待ち受け画面に出力することを特徴とする情報配信方法。
【請求項６】
請求項５に記載の情報配信方法において、
前記携帯端末は、前記プログラムに従って前記処理装置が、当該携帯端末の状況として、当該携帯端末の稼動状況を監視し、前記情報配信契機の到来を、予め定めた所定基準以下の稼動状況の発生により検知することを特徴とする情報配信方法。
【請求項７】
請求項６に記載の情報配信方法において、
前記携帯端末は、前記プログラムに従って前記処理装置が、前記稼動状況として、当該携帯端末を利用した通話の有無、トラフィック量や各種データ処理量を監視することを特徴とする情報配信方法。
【請求項８】
請求項５に記載の情報配信方法において、
前記携帯端末は、前記プログラムに従って前記処理装置が、前記情報配信契機の到来を、前記情報配信装置からの受信により検知することを特徴とする情報配信方法。
【請求項９】
請求項５に記載の情報配信方法において、
前記携帯端末は、前記記憶装置に、オペレーティングシステム、処理プログラム、前記プログラムおよび前記プログラムと前記処理プログラムの優先順位を格納し、
前記携帯端末は、前記オペレーティングシステムに従って、前記プログラム処理と前記処理プログラムでの処理を、前記優先順位に従って実行することを特徴とする情報配信方法。
【請求項１０】
請求項９に記載の情報配信方法において、
前記携帯端末は、前記オペレーティングシステムに従って、前記プログラムでの処理中に、前記処理プログラムの処理要求を検知した場合、前記プログラムでの処理を中断し、前記処理プログラムを起動することを特徴とする情報配信方法。
【請求項１１】
請求項１０に記載の情報配信方法において、
前記処理プログラムには、当該携帯端末での電話および電子メールの機能を達成する処理プログラムが含まれることを特徴とする情報配信方法。
【請求項１２】
請求項７に記載の情報配信方法において、
前記携帯端末の利用者を識別するユーザＩＤを含む前記情報配信要求を送信することを特徴とする情報配信方法。
【請求項１３】
ネットワークを介して情報配信装置から複数の携帯端末のそれぞれへ情報配信を行う情報配信方法において、
前記携帯端末は、電話およびメールの機能を果たすプログラムの他に配信装置からの配信情報を受信して該配信情報を待ち受け画面に表示する待ち受けプログラムを格納した記憶装置と処理装置とを有し、
前記携帯端末は、前記プログラムに従った前記処理装置の制御により、当該携帯端末の状況を監視し、前記監視の結果、当該携帯端末に設定された情報配信契機の到来を検知し、  前記携帯端末は、前記待ち受けプログラムに従った前記処理装置の制御により、予め設定された情報配信内容に基づく情報配信要求を、前記情報配信装置に送信し、
前記携帯端末は、前記憶報配信要求に応じて情報配信装置より配信される配信情報を受信し、
前記携帯端末は、前記待ち受けプログラムに従った前記処理装置の制御により、前記受信した情報を出力するインターフェイスに出力し、
前記携帯端末は、前記待ち受けプログラムに従って前記処理装置が、前記出力した情報に対する出力形態の変更の要求を入力インターフェイスを介して受け付け、
前記携帯端末は、前記待ち受けプログラムに従って前記処理装置が、前記情報配信要求に応じて、前記配信情報の出力形態を変更し出力インターフェイスに出力することを特徴とする情報配信方法。
【請求項１４】
ネットワークを介して情報配信装置から配信される情報を受信する携帯端末であり、プログラムを格納した記憶装置と処理装置とを有し、
前記プログラムに従った前記処理装置の制御により、当該携帯端末の状況を監視し、前記監視の結果、当該携帯端末に設定された情報配信契機の到来を検知し、
前記プログラムに従った前記処理装置の制御により、予め設定された情報配信内容に基づく情報配信要求を、前記情報配信装置に送信し、
前記情報配信要求に応じて情報配信装置より配信される配信情報を受信し、
前記プログラムに従った前記処理装置の制御により、前記受信した情報を出力インターフェイスに出力し、
前記プログラムに従って前記処理装置が、情報配信契機の到来を検知した場合、前記記憶装置に格納され、前記プログラムに含まれ、当該携帯端末の待ち受け画面を制御する待ち受けプログラムを起動し、
前記待ち受けプログラムに従って前記処理装置が、前記情報配信要求を送信し、
前記待ち受けブログラムに従って前記処理装置が、前記配信情報を前記出力インターフェイスである待ち受け画面に出力することを特徴とする携帯端末。
【請求項１５】
請求項１４に記載の携帯端末において、
前記プログラムに従って前記処理装置が、当該携帯端末の状況として、当該携帯端末の稼動状況を監視し、前記情報配信契機の到来を、予め定めた所定基準以下の稼働状況の発発生により検知することを特徴とする携帯端末。
【請求項１６】
請求項１５に記載の携帯端末において、
前記プログラムに従って前記処理装置が、当該携帯端末の状況として、当該携帯端末を利用した通話の有無、トラフィック量やデータ処理量を監視することを特徴とする携帯端末。
【請求項１７】
請求項１４に記載の携帯端末において、
前記プログラムに従って前記処理装置が、前記情報配信契機の到来を、前記情報配信装置からの受信により検知することを特徴とする携帯端末。
【請求項１８】
請求項１４に記載の携帯端末において、
前記記憶装置に、オペレーティングシステム、処理プログラム、前記プログラムおよび前記プログラムと前記処理プログラムの優先順位を格納し、
前記オペレーティングシステムに従って、前記プログラムの処理と前記処理プログラムでの処理を、前記優先順位に従って実行することを特徴とする携帯端末。
【請求項１９】
請求項１８に記載の携帯端末において、
前記オペレーティングシステムに従って、前記プログラムでの処理中に、前記処理プログラムの処理要求を検知した場合、前記プログラムでの処理を中断し、前記処理プログラムを起動することを特徴とする携帯端末。
【請求項２０】
請求項１９に記載の携帯端末において、
前記処理プログラムには、当該携帯端末での電話および電子メールの機能を達成する処理プログラムが含まれることを特徴とする携帯端末。
【請求項２１】
請求項１４に記載の携帯端末において、
当該携帯端末の利用者を識別するユーザＩＤを含む前記情報配信要求を送信することを特徴とする携帯端末。
【請求項２２】
ネットワークを介して情報配信装置から配信される情報を受信する携帯端末であり、電話およびメールの機能を果たすプログラムの他に配信装置からの配信情報を受信して該配信情報を待ち受け画面に表示する待ち受けプログラムを格納した記憶装置と処理装置とを有し、
前記待ち受けプログラムに従った前記処理装置の制御により、当該携帯端末の状況を監視し、前記監視の結果、当該携帯端末に設定された情報配信契機の到来を検知し、
前記待ち受けプログラムに従った前記処理装置の制御により、予め設定された情報配信内容に基づく情報配信要求を、前記情報配信装置に送信し、
前記情報配信要求に応じて情報配信装置より配信される配信情報を受信し、
前記待ち受けプログラムに従った前記処理装置の制御により、前記受信した情報を出力インターフェイスに出力し、
前記プログラムに従って前記処理装置が、前記出力した情報に対する出力形態の変更の要求を入力インターフェイスを介して受け付け、
前記プログラムに従って前記処理装置が、前記要求に応じて、前記配信情報の出力形態を変更して出力インターフェイスに出力することを特徴とする携帯端末。
【手続補正２】
【補正対象書類名】明細書
【補正対象項目名】００１０
【補正方法】変更
【補正の内容】
【００１０】
上記課題を解決する本発明の情報配信方法は、情報配信装置から携帯端末に対し、ネットワークを介して所定のタイミングで前記携帯端末の利用者が要求する情報を配信する情報配信方法であって、前記情報配信装置において、情報配信プログラムと、前記携帯端末に配信する画像情報およびテロップ情報を含む配信情報と、前記配信情報に関連する情報とを記憶する記憶装置と、前記情報配信プログラムに従って情報配信処理を実行する処理装置とを備えて、前記処理装置が、携帯端末から情報配信要求を受けたとき、または前記情報配信プログラムが携帯端末毎に定められた配信契機の到来を検知したとき、前記情報配信要求または携帯端末毎に定められた配信契機に対応する画像情報およびテロップ情報を含む配信情報、および該配信情報に関連する情報を前記記憶装置において検索し、該検索した情報を前記携帯端末に配信し、前記携帯端末において、待ち受けプログラムを格納した記憶部と、前記待ち受けプログラムに従って情報配信要求処理を実行する処理部を備え、前記処理部が、当該携帯端末の稼動状況に応じて情報配信契機を検知したとき、前記情報配信装置に画像情報およびテロップ情報を含む配信情報の配信を要求し、前記情報配信装置において、前記処理装置が、当該情報配信装置の情報配信契機を検知したとき、前記情報配信プログラムに従って前記画像情報およびテロップ情報を含む配信情報を配信し、前記携帯端末において、前記処理部が、当該携帯端末の利用者から前記配信情報に関する関連情報の配信要求を受けたとき、前記配信情報に関連する情報の配信を前記情報配信装置に要求し、前記処理部が、前記関連情報の配信要求または配信契機の到来の前記検知に基づき前記情報配信装置から配信される関連情報または配信情報を受信し、前記情報配信装置において、前記処理装置が、前記情報配信要求または配信契機の到来の前記検知に基づき、画像情報およびテロップ情報を含む配信情報と該配信情報に関連する情報を、前記携帯端末に配信し、前記携帯端末において、前記処理部が、前記配信情報の画像情報およびテロップ情報を含む配信情報を当該携帯端末の表示部の待ち受け画面として表示し、かつ該配信情報に関連する情報を前記表示部に表示する、ことを特徴とする。
【手続補正３】
【補正対象書類名】明細書
【補正対象項目名】００１１
【補正方法】変更
【補正の内容】
【００１１】
また、本発明の情報配信方法は、情報配信装置から携帯端末に対し、ネットワークを介して所定の配信タイミング毎に、予め設定された情報配信内容に基づく情報の配信をする情報配信方法であって、前記情報配信装置において、画像情報およびテロップ情報を含む配信情報と、該配信情報に関連する情報と、情報配信プログラムとを記憶した記憶装置と、前記情報配信プログラムに従って情報配信処理を実行する処理装置とを備えて、前記処理装置が、前記情報配信プログラムに従って、画像情報およびテロップ情報を含む配信情報を、前記記憶装置において検索し、ここで検索した情報を前記携帯端末に配信し、前記処理装置が、携帯端末から配信情報に関連する関連情報の配信要求を受けたとき、または前記情報配信プログラムが携帯端末毎に定められた配信契機の到来を検知したとき、前記配信要求または携帯端末毎に定められた配信契機に対応する前記画像情報およびテロップ情報を含む配信情報の検索を前記記憶装置において実行し、ここで検索した情報を前記携帯端末に配信し、前記携帯端末において、待ち受けプログラムを格納した記憶部と、前記待ち受けプログラムに従って情報配信要求処理を実行する処理部とを備えて、前記処理部が、前記画像情報およびテロップ情報を含む配信情報と該配信情報に関連する情報を前記情報配信装置より受信し、前記処理部が、前記配信情報の画像情報およびテロップ情報を含む配信情報を当該携帯端末の表示部の待ち受け画面として表示し、または該配信情報に関連する情報を当該携帯端末の表示部に表示する、ことを特徴とする。
【手続補正４】
【補正対象書類名】明細書
【補正対象項目名】００１２
【補正方法】変更
【補正の内容】
【００１２】
また、本発明の情報配信方法は、待ち受けプログラムを実行する複数の携帯端末の各々に対して、配信装置からネットワークを介して情報を配信する情報配信方法であって、前記配信装置は、前記携帯端末に配信するテロップ情報と、当該テロップ情報の配信契機と、情報配信プログラムと、を記憶した記憶装置と、前記記憶装置の情報配信プログラムに従って処理を実行する処理装置とを有し、前記処理装置が、前記携帯端末へ、前記記憶装置におけるテロップ情報の配信契機に従ったタイミングで前記テロップ情報を配信し、前記携帯端末は、電話およびメールの機能を果たすプログラムの他に、配信装置からの配信情報を受信して該配信情報を待ち受け画面に表示する待ち受けプログラムを格納した記憶部と、前記待ち受けプログラムに従った情報処理を実行する処理部と、表示部とを有し、前記処理部が、当該携帯端末に対する利用者からの入力に応じて、該携帯端末の表示部に表示された、前記テロップ情報を含む待ち受け画面での表示内容に関する情報の要求を示す関連情報要求を、前記配信装置へ送信し、前記配信装置は、前記処理装置が、前記関連情報要求に対応する関連情報を記憶装置で検索し、前記処理装置が、前記関連情報を前記携帯端末に送信し、前記携帯端末は、前記処理部が、前記配信装置から送信された前記関連情報を前記表示部の待ち受け画面に表示する、ことを特徴とする。
【手続補正５】
【補正対象書類名】明細書
【補正対象項目名】００１３
【補正方法】変更
【補正の内容】
【００１３】
また、本発明の情報配信装置は、電話およびメールの機能を果たすプログラムの他に配信装置からの配信情報を受信して該配信情報を待ち受け画面に表示する待ち受けプログラムを実行する複数の携帯端末の各々に対し、ネットワークを介して情報を配信する情報配信装置であって、情報配信プログラムと、前記携帯端末に配信するテロップ情報と、当該テロップ情報の配信契機と、を記憶する記憶装置と、前記記憶装置の情報配信プログラムに従って処理を実行する処理装置とを備えて、前記処理装置が、前記携帯端末へ、前記記憶装置におけるテロップ情報の配信契機に従ったタイミングで前記テロップ情報を配信し、  前記処理装置が、前記テロップ情報を配信した携帯端末から、前記テロップ情報を含む待ち受け画面での表示内容に関する情報の要求を示す関連情報要求を受信し、前記処理装置が、前記関連情報要求に対応する関連情報を記憶装置で検索し、前記処理装置が、前記携帯端末に前記関連情報を送信する、ものであることを特徴とする。
【手続補正６】
【補正対象書類名】明細書
【補正対象項目名】００２２
【補正方法】変更
【補正の内容】
【００２２】
また、本発明の情報配信方法は、ネットワークを介して情報配信装置から複数の携帯端末のそれぞれへ情報配信を行う情報配信方法において、前記携帯端末は、電話およびメールの機能を果たすプログラムの他に配信装置からの配信情報を受信して該配信情報を待ち受け画面に表示する待ち受けプログラムを格納した記憶装置と処理装置とを有し、前記携帯端末は、前記プログラムに従った前記処理装置の制御により、当該携帯端末の状況を監視し、前記監視の結果、当該携帯端末に設定された情報配信契機の到来を検知し、  前記携帯端末は、前記待ち受けプログラムに従った前記処理装置の制御により、予め設定された情報配信内容に基づく情報配信要求を、前記情報配信装置に送信し、前記携帯端末は、前記憶報配信要求に応じて情報配信装置より配信される配信情報を受信し、前記携帯端末は、前記待ち受けプログラムに従った前記処理装置の制御により、前記受信した情報を出力するインターフェイスに出力し、前記携帯端末は、前記待ち受けプログラムに従って前記処理装置が、前記出力した情報に対する出力形態の変更の要求を入力インターフェイスを介して受け付け、前記携帯端末は、前記待ち受けプログラムに従って前記処理装置が、前記情報配信要求に応じて、前記配信情報の出力形態を変更し出力インターフェイスに出力することを特徴とする。
【手続補正７】
【補正対象書類名】明細書
【補正対象項目名】００３０
【補正方法】変更
【補正の内容】
【００３０】
また、本発明の携帯端末は、ネットワークを介して情報配信装置から配信される情報を受信する携帯端末であり、電話およびメールの機能を果たすプログラムの他に配信装置からの配信情報を受信して該配信情報を待ち受け画面に表示する待ち受けプログラムを格納した記憶装置と処理装置とを有し、前記待ち受けプログラムに従った前記処理装置の制御により、当該携帯端末の状況を監視し、前記監視の結果、当該携帯端末に設定された情報配信契機の到来を検知し、前記待ち受けプログラムに従った前記処理装置の制御により、予め設定された情報配信内容に基づく情報配信要求を、前記情報配信装置に送信し、前記情報配信要求に応じて情報配信装置より配信される配信情報を受信し、前記待ち受けプログラムに従った前記処理装置の制御により、前記受信した情報を出力インターフェイスに出力し、前記プログラムに従って前記処理装置が、前記出力した情報に対する出力形態の変更の要求を入力インターフェイスを介して受け付け、前記プログラムに従って前記処理装置が、前記要求に応じて、前記配信情報の出力形態を変更して出力インターフェイスに出力することを特徴とする。